(57)【要約】【課題】本発明は、システム全体としての構成の簡易化及び処理効率の向上を図ることができる通信システムを実現するものである。【解決手段】所定のデータを出力するデータ出力装置と、当該データ出力装置及び通信回線網間に接続され、一方又は双方から得られるデータに対して所定の変復調処理を行う変復調装置とからなる通信システムにおいて、変復調装置に設けられ、通信回線網に対応する複数種類の設定内容のうち所望の設定内容を外部操作に応じて入力する設定入力手段と、データ出力装置に設けられ、変復調装置から与えられる設定入力手段の設定内容に基づいて、当該設定内容に応じたコマンドを変復調装置に送出する制御手段とを設けるようにした。【選択図】        図４
2004253903.tif 000002
【特許請求の範囲】
【請求項１】
所定のデータを出力するデータ出力装置と、当該データ出力装置及び通信回線網間に接続され、一方又は双方から得られるデータに対して所定の変復調処理を行う変復調装置とからなる通信システムにおいて、
上記変復調装置に設けられ、上記通信回線網に対応する複数種類の設定内容のうち所望の設定内容を外部操作に応じて入力する設定入力手段と、
上記データ出力装置に設けられ、上記変復調装置から与えられる上記設定入力手段の上記設定内容に基づいて、当該設定内容に応じたコマンドを上記変復調装置に送出する制御手段と
を具えることを特徴とする通信システム。
【請求項２】
上記データ出力装置及び上記変復調装置間を相互接続するシリアル伝送方式による有線ケーブルと、
上記変復調装置に設けられ、上記データ出力装置からシリアル伝送される上記データをパラレル伝送方式に変換するシリアルパラレル変換手段と
を具え、
上記設定入力手段は、上記シリアルパラレル変換手段に接続されている
ことを特徴とする請求項１に記載の通信システム。
【請求項３】
上記設定入力手段は、複数のスイッチ素子を有するディップスイッチからなり、
上記データ出力装置に設けられ、各上記スイッチ素子によるスイッチング状態の組み合わせ結果と上記通信回線網に対応する各上記設定内容との対応テーブルが記憶されている記憶手段を具え、
上記制御手段は、上記変復調装置から上記スイッチング状態の組み合わせ結果が与えられると、上記記憶手段から読み出した上記対応テーブルに基づいて、当該組み合わせ結果に対応する上記設定内容を認識する
ことを特徴とする請求項２に記載の通信システム。
【発明の詳細な説明】
【０００１】
【発明の属する技術分野】
本発明は通信システムに関し、例えばディジタルビデオカメラにモデム装置を接続して構成される通信システムに適用して好適なものである。
【０００２】
【従来の技術】
従来、この種のディジタルビデオカメラにおいては、撮像素子に結像された映像をカメラ本体に設けられたモニタの表示画面に動画像として表示させながら、ユーザの操作に応じてビデオテープに記録するようになされている。
【０００３】
さらに近年、このようなディジタルビデオカメラには、モニタの表示画面に表示されている撮像結果の中から、ユーザの操作又は転送先の指示に応じて指定された静止画像を記憶媒体に記録すると共に必要に応じて外部機器等へ転送するようになされた技術が一般的に採用されている。
【０００４】
その際、このディジタルビデオカメラにおいて、一般家庭で使用される公衆回線を用いて外部機器等に画像データを転送する場合には、ディジタルビデオカメラ及び公衆回線間をモデム（Ｍｏｄｅｍ）を介して接続する必要がある。
【０００５】
かかるモデムは、ディジタルビデオカメラとは別体に単一のモジュールとして設けられ、使用時にのみディジタルビデオカメラ及びアナログ公衆回線の各接続端子にそれぞれ配線を介して接続するようになされている。
【０００６】
このモデムをディジタルビデオカメラに接続する場合、接続対象となる公衆回線網に応じた現在使用する国名や、当該公衆回線網に合わせた回線の種類（例えばトーン・パルス方式におけるプッシュ回線又はダイヤル回線のいずれか）をディジタルビデオカメラ内においてユーザが予め設定しておくようになされている。
【０００７】
このような設定を行うために、ディジタルビデオカメラにおいて、撮像結果として得られるファインダ画像を表示する液晶モニタの表示画面に、必要に応じて公衆回線網に対応する各種の設定内容をＧＵＩ（Ｇｒａｐｈｉｃａｌ  Ｕｓｅｒ  Ｉｎｔｅｒｆａｃｅ）表示するようになされたものが採用されている。
【０００８】
また近年では、ディジタルビデオカメラを例えばブルートゥース（Ｂｌｕｅｔｈｏｏｔｈ）等の無線ＬＡＮ（Ｌｏｃａｌ  Ａｒｅａ  Ｎｅｔｗｏｒｋ）を介して公衆回線網に接続する方法も実現されており、その際に使用されるモデムとして、外部操作が可能なディップスイッチが搭載され、内部のＣＰＵがユーザによる当該ディップスイッチの設定状態に応じた各種制御を行うようになされたものがある。
【０００９】
【発明が解決しようとする課題】
ところで、このような公衆回線網と通信可能なディジタルビデオカメラにおいて、公衆回線網に対応する各種の設定内容（国名や回線の種類等）を液晶モニタにＧＵＩ表示させるのは、限られた表示スペース内で比較的多くの情報量を表示させなければならない煩雑さがあり、特に国名の場合には３０か国以上もの名称を表示させなければならない煩雑さがあった。
【００１０】
しかもこれらの設定内容は初期設定時のみ必要な表示内容であるため、ディジタルビデオカメラ側でＧＵＩ表示させるのではなく、モデム側に設定用のスイッチ等を設けるようにするのが望ましい。
【００１１】
しかしながら、上述のように、ＣＰＵが内臓されているモデムにディップスイッチを設けた構成のものでは、当該モデムが装置全体として構成が煩雑となる問題があった。
【００１２】
本発明は以上の点を考慮してなされたもので、システム全体としての構成の簡易化及び処理効率の向上を図ることができる通信システムを提案しようとするものである。
【００１３】
【課題を解決するための手段】
かかる課題を解決するため本発明においては、所定のデータを出力するデータ出力装置と、当該データ出力装置及び通信回線網間に接続され、一方又は双方から得られるデータに対して所定の変復調処理を行う変復調装置とからなる通信システムにおいて、変復調装置に設けられ、通信回線網に対応する複数種類の設定内容のうち所望の設定内容を外部操作に応じて入力する設定入力手段と、データ出力装置に設けられ、変復調装置から与えられる設定入力手段の設定内容に基づいて、当該設定内容に応じたコマンドを変復調装置に送出する制御手段とを設けるようにした。
【００１４】
この結果この通信システムでは、データ出力装置側において通信回線網に対応する複数種類の設定内容を例えばＧＵＩ表示等のような画面表示をさせる必要がなくて済む。
【００１５】
また本発明においては、データ出力装置及び変復調装置間を相互接続するシリアル伝送方式による有線ケーブルと、変復調装置に設けられ、データ出力装置からシリアル伝送されるデータをパラレル伝送方式に変換するシリアルパラレル変換手段とを設け、設定入力手段をシリアルパラレル変換手段に接続するようにした。
【００１６】
この結果この通信システムでは、変復調装置におけるシリアルパラレル変換手段に設定入力手段を接続するようにしたことにより、変復調装置内の制御処理を追加させたり、新たに制御処理のための手段を設けたりする必要がなくて済む。
【００１７】
【発明の実施の形態】
以下図面について、本発明の一実施の形態を詳述する。
【００１８】
（１）本実施の形態によるビデオカメラシステムの全体構成
図１において、１は全体として本実施の形態によるビデオカメラシステムを示し、ディジタルビデオカメラ２とモデム３とがＵＳＢ（Ｕｎｉｖｅｒｓａｌ  Ｓｅｒｉａｌ  Ｂｕｓ）ケーブル４を介して接続されると共に、当該モデム３が通信ケーブル５を介して公衆回線網（図示せず）と接続されることにより構成されている。
【００１９】
（２）ディジタルビデオカメラの構成
図２はディジタルビデオカメラ２を示し、投影レンズ１０を介して入射した撮像光Ｌ１をＣＣＤ（Ｃｈａｒｇｅ  Ｃｏｕｐｌｅｄ  Ｄｉｖｉｃｅ  ：電荷結合素子）１１の撮像面において光電変換することにより撮像信号Ｓ１を得、これをＣＤＳ（Ｃｏｒｒｅｌａｔｅｄ  Ｄｏｕｂｌｅ  Ｓａｍｐｌｉｎｇ：相関２重サンプリング回路）及びＡＧＣ（Ａｕｔｏ  Ｇａｉｎ  Ｃｏｎｔｒｏｌ  ：自動利得制御回路）部１２に送出する。
【００２０】
ＣＤＳ及びＡＧＣ部１２は、撮像信号Ｓ１にリセット雑音が発生する期間においてその信号レベルを所定電位でクランプすることによって雑音成分を低減すると共に、当該撮像信号Ｓ１の振幅を自動的に調整して出力を所定値に制御することによってコントラストの変動を防止する。このようにして得られた撮像信号Ｓ２は続くアナログ／ディジタル変換（Ａ／Ｄ）部１３に送出され、ディジタル撮像信号Ｓ３に変換された後、信号処理部１４に送出される。
【００２１】
信号処理部１４は、ディジタル撮像信号Ｓ３に対してＹ／Ｃ分離、ホワイトバランス調整処理及びγ（ガンマ）補正等を施した後、これをマトリクス処理によってビデオ信号Ｓ４に変換し、これをメモリコントローラ１５に送出する。
【００２２】
これらＣＣＤ１１、ＣＤＳ及びＡＧＣ部１２、Ａ／Ｄ変換部１３、信号処理部１４及びメモリコントローラ１５は、バス１６を介してディジタルビデオカメラ２全体の制御を司るＣＰＵ（Ｃｅｎｔｒａｌ  Ｐｒｏｃｅｓｓｉｎｇ  Ｕｎｉｔ  ）１７と接続され、当該ＣＰＵ１７の制御に基づいて各種動作を実行するようになされている。
【００２３】
メモリコントローラ１５は、通常の被写体確認時（すわなち動画撮像時）には、ビデオ信号Ｓ４をフレーム単位でＲＡＭ（Ｒａｎｄｏｍ  Ａｃｃｅｓｓ  Ｍｅｍｏｒｙ）１８に順次書き込むと共に、ビデオエンコーダ１９を介して所定方式（例えばＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式等）のコンポジット信号Ｓ５に変換した後、これを液晶モニタ２０及び外部接続端子２１に送出する。
【００２４】
その際、メモリコントローラ１５は、ユーザからズーム処理等の指令を受けた場合には、ビデオ信号Ｓ４をフレーム単位でそれぞれ指定倍率に拡大又は縮小した後、これら拡大画像又は縮小画像としてＲＡＭ１８に順次書き込むと共に、ビデオエンコーダ１９を介して液晶モニタ２０の表示画面２０Ａに表示させる。
【００２５】
これにより液晶モニタ２０の表示画面２０Ａにコンポジット信号Ｓ５に基づく動画像（以下、これをファインダ画像と呼ぶ）がリアルタイムで表示されると共に、外部接続端子２１に例えばパーソナルコンピュータやビデオモニタ等（図示せず）が接続されている場合には、当該外部接続端子２１を介して供給されたコンポジット信号Ｓ５に基づくファインダ画像がリアルタイムで表示される。
【００２６】
またＣＰＵ１７には、動作プログラムや各定数が記憶されているＲＯＭ（Ｒｅａｄ  Ｏｎｌｙ  Ｍｅｍｏｒｙ）２２と、ディジタルビデオカメラ２の動作に関する各種定数や各種情報を電源遮断時にも記憶し続けることができる不揮発性メモリ２３とがバス１６を介して接続され、これらのメモリ２２、２３に対して各種データを必要に応じて記録及び又は再生し得るようになされている。
【００２７】
さらにＣＰＵ１７には、各種キー等からなる操作部２４がＩ／Ｏ（Ｉｎｐｕｔ／Ｏｕｔｐｕｔ）ポート２５及び続くバス１６を介して接続されると共に、テープ収納部２６がインターフェイス２７及び続くバス１６を介して接続されており、ユーザによる操作部２４による操作内容及びビデオテープＶＴの挿脱に応じた伝達信号を受けるようになされている。
【００２８】
さらにＣＰＵ１７には、ＵＳＢインターフェース２８がバス１６を介して接続されており、対応する各種の外部機器（図示せず）との間で種々の情報を送受信し得るようになされている。
【００２９】
ここでユーザが操作部２４のうちのシャッタボタン（図示せず）を押圧操作したとき（すなわち静止画撮像時）には、ＣＰＵ１７からバス１６を介して記録指令信号Ｓ１０がメモリコントローラ１５に送出され、これによりメモリコントローラ１５は、ＲＡＭ１８にビデオ信号Ｓ４を書き込みながら当該ビデオ信号Ｓ４に基づく複数のフレーム画像の中からシャッタ時に撮像したフレーム画像を読み出した後、バス１６を介してデータ圧縮伸長部２９に送出する。
【００３０】
このデータ圧縮伸長部２９は、ＲＡＭ１８から読み出されたフレーム画像に対してＪＰＥＧ（Ｊｏｉｎｔ  Ｐｈｏｔｏｇｒａｐｈｉｃ  Ｅｘｐｅｒｔｓ  Ｇｒｏｕｐｅ  ）規格に基づく圧縮符号化処理を行うことにより、画像情報が圧縮されたフレーム画像を得る。かくして得られた圧縮フレーム画像は、ＣＰＵ１７の制御に応じて、ＵＳＢインターフェース２８及び続くＵＳＢケーブル４（図１）を介してモデム装置３に転送されるようになされている。
【００３１】
かかる構成に加えて、ＣＰＵ１７にはバス１６を介してＯＳＤ（Ｏｎ  Ｓｃｒｅｅｎ  Ｄｉｓｐｌａｙ  ）部３０が接続されており、当該ＯＳＤ部３０の内部メモリ（図示せず）には、各種のカメラ機能の設定状態及び撮影条件等に対応する複数種類のマークが画像パターンとして予め設定保存されている。
【００３２】
そしてＣＰＵ１７は、カメラ内部の状況又はユーザの操作に応じて、ＯＳＤ部３０に読出指令信号Ｓ１１を送出するようにして、ＯＳＤ部３０から該当するマークの画像を読み出させた後、ビデオエンコーダ１９を介して液晶モニタ２０の表示画面２０Ａ上のファインダ画像（動画像）に重畳表示させるようになされている。
【００３３】
実際に上述した図１に示すように、ディジタルビデオカメラ２がモデム装置３との間でＵＳＢケーブル４を介して相互接続されると共に、当該モデム装置３が公衆回線網との間で通信ケーブル５を介して相互接続されている状態においては、当該ディジタルビデオカメラ２内のＣＰＵ１７は、モデム装置３との間で、例えばＡＴコマンド方式のようなモデム用制御コマンド体系を用いて各種の制御情報を送受信するようになされている。
【００３４】
（３）モデム装置の構成
ここでモデム装置３の構成を図３に示す。かかるモデム装置３は、ＵＳＢパラレルＩ／Ｆ（ｉｎｔｅｒｆａｃｅ）コンバータ４０、ＳＣＭ（Ｓｉｎｇｌｅ  Ｃｈｉｐ  Ｍｏｄｅｍ）部４１及びＬＳＤ（Ｌｉｎｅ  Ｓｉｄｅ  Ｄｅｖｉｃｅ）部４２から構成されている。
【００３５】
ＵＳＢパラレルＩ／Ｆコンバータ４０は、シリアルパラレル変換回路であり、ディジタルビデオカメラ２からＵＳＢケーブル４を介してシリアル伝送される入力データをパラレル伝送させる一方、モデム装置３内のＳＣＭ部４１からパラレル伝送させるデータをシリアル伝送させるようになされている。
【００３６】
またＵＳＢパラレルＩ／Ｆコンバータ部４０には、外部設定が可能なディップスイッチ４３が接続されており、ユーザの設定入力によるディップスイッチ４３の切替えパターンに応じて、公衆回線網に対応する各種の設定内容（国名や回線の種類等）を設定し得るようになされている。
【００３７】
またＳＣＭ部４１は、マイクロコントローラ及び各種のメモリ（共に図示せず）を有し、ディジタルビデオカメラ２からＵＳＢパラレルＩ／Ｆコンバータ４０を介してパラレル伝送される各種データやコマンドに対してＡＴコマンドのようなモデム制御用コマンド体系に基づく応答コードを返送したり、モデム装置３の状態をキャラクタ化してディジタルビデオカメラ２に送信するようになされている。
【００３８】
さらにＬＳＤ部４２は、ディジタル変復調処理機能を有し、ＳＣＭ部４１から送られる各種データに対して公衆回線網に応じた所定の変調処理を行う一方、公衆回線網から受信した各種データに対して所定の復調処理を行ってＳＣＭ部４１に送るようになされている。
【００３９】
ここで上述のＵＳＢパラレルＩ／Ｆコンバータ４０及びディップスイッチ４３の関係は、具体的には図４のように表される。このＵＳＢパラレルＩ／Ｆコンバータ４０において、ＵＳＢケーブル４（図１）の接続端子には４本の配線ラインが接続され、このうち２本が電源用（ＶＢＵＳ）及びアース用（ＧＮＤ）であり、他の２本がデータ伝送用（Ｄ−、Ｄ＋）である。
【００４０】
またＵＳＢパラレルＩ／Ｆコンバータ４０におけるＳＣＭ部４１側への出力端子には４本の配線ラインが接続され、それぞれパラレルデータ転送用（Ｄａｔａ０−７）、アドレス伝送用（Ａｄｄｒｅｓｓ  ０−５）、再生データ伝送用（Ｒｅａｄ）及び記録データ伝送用（Ｗｒｉｔｅ）である。
【００４１】
さらにＵＳＢパラレルＩ／Ｆコンバータ４０には、所定規格（例えばＥｎｄｐｏｉｎｔ♯４）に基づくバルク（Ｂｕｌｋ）伝送用の入力端子として８個の接地されたパラレル入出力制御端子（ＧＰＩＯ  ０〜７）が設定されており、これら８個のパラレル入出力制御端子にそれぞれスイッチ素子を対応させるようにディップスイッチ４３が接続されている。
【００４２】
このディップスイッチ４３は、８個のスイッチ素子を有し、当該各スイッチ素子の一端は対応するパラレル入出力制御端子（ＧＰＩＯ  ０〜７）及びグランド（ＧＮＤ）に接続されると共に、他端は全て電源ライン（ＶＣＣ）に接続されている。
【００４３】
そしてこのディップスイッチ４３における各スイッチ素子の２５６通りのオンオフ状態（以下、これをスイッチング状態と呼ぶ）の組み合わせ結果がＵＳＢパラレルＩ／Ｆコンバータ４０及び続くＵＳＢケーブル４（図３）を介してディジタルビデオカメラ２（図２）内のＣＰＵ１７に送信されるようになされている。
【００４４】
実際にこのディップスイッチ４３における２５６通りのスイッチング状態の組み合わせには、公衆回線網に対応する各種の設定内容（国名や回線の種類等）がそれぞれ割り当てられており、ディジタルビデオカメラ２（図２）内のＲＯＭ１７にその対応テーブルが予めプログラムされている。
【００４５】
そしてユーザがモデム装置３に搭載されたディップスイッチ４３を所望のスイッチング状態の組み合わせに設定すると、当該組み合わせ結果がＵＳＢケーブル４を介してディジタルビデオカメラ２内のＣＰＵ１７に送信される。
【００４６】
ＣＰＵ１７は、当該組み合わせ結果を内部レジスタに一時的に保存するタイミングでＲＯＭ１７から対応テーブルを読み出して参照することにより、公衆回線網に対するユーザの設定内容（国名や回線の種類等）を確認することができる。
【００４７】
（４）本実施の形態による動作及び効果
以上の構成において、ビデオカメラシステムでは、ディジタルビデオカメラをモデム装置を介して公衆回線網に接続する際、初期設定としてユーザがモデム装置に搭載されているディップスイッチを所望のスイッチング状態の組み合わせに設定すると、当該組み合わせ結果がＵＳＢケーブル４を介してディジタルビデオカメラ２内のＣＰＵ１７に送信される。
【００４８】
この結果ＣＰＵ１７は、公衆回線網に応じた現在使用する国名や、当該公衆回線網に合わせた回線の種類（例えばトーン・パルス方式におけるプッシュ回線又はダイヤル回線のいずれか）を認識することができ、当該認識結果に応じた内容のＡＴコマンドをＵＳＢケーブル４を介してモデム装置３に送信することができる。
【００４９】
かくしてディジタルビデオカメラ２にモデム装置３を接続する際に、ユーザがモデム装置３に搭載されたディップスイッチ４３を所望のスイッチング状態に設定するだけで、ディジタルビデオカメラ２の液晶モニタ２０の表示画面２０Ａに公衆回線網に対応する各種設定内容をＧＵＩ表示した場合と同様の効果を得ることができる。
【００５０】
またモデム装置３におけるＵＳＢパラレルＩ／Ｆコンバータ４０にディップスイッチ４３を接続するようにしたことにより、ＳＣＭ部４１内のマイクロコントローラに追加処理を課したり、新たにコントラーラを設けたりする必要がなくて済み、その分ビデオカメラシステム１全体についての処理負担の軽減や構成の簡易化を図ることができる。
【００５１】
以上の構成によれば、このビデオカメラシステム１において、接続対象となる公衆回線網に対応する各種の設定内容が割り当てられたディップスイッチ４３をモデム装置３に搭載しておき、当該モデム装置３をディジタルビデオカメラ２に接続する際に、ユーザによるディップスイッチ４３の設定内容をディジタルビデオカメラ２内のＣＰＵ１７に認識させるようにしたことにより、ディジタルビデオカメラ２側における液晶モニタ２０の表示画面２０Ａに同様の設定内容をＧＵＩ表示させる必要がなくて済み、かくしてシステム全体としての構成の簡易化及び処理効率の向上を図ることができるビデオカメラシステム１を実現できる。
【００５２】
（５）他の実施の形態
なお上述の実施の形態においては、本発明による通信システムとして、図１に示すような、画像データ（所定のデータ）を出力するディジタルビデオカメラ（データ出力装置）２と、当該ディジタルビデオカメラ（データ出力装置）２及び公衆回線網（通信回線網）間に接続され、一方又は双方から得られるデータに対して所定の変復調処理を行うモデム装置（変復調装置）３とからなるビデオカメラシステム１を適用するようにした場合について述べたが、本発明はこれに限らず、この他種々の構成からなる通信システムに広く適用することができる。
【００５３】
この場合、データ出力装置としては、ディジタルビデオカメラ２のみならず、腕時計、携帯電話、携帯情報機器（ＰＤＡ：Ｐｅｒｓｏｎａｌ  Ｄｉｇｉｔａｌ  Ａｓｓｉｓｔａｎｎｔｓ）などのモバイル機器としての撮像装置や、各種データを通信回線網を介して伝送する種々のデータ出力装置に適用することができる。
【００５４】
また上述の実施の形態においては、モデム装置（変復調装置）３に設けられ、公衆回線網（通信回線網）に対応する複数種類の設定内容のうち所望の設定内容を外部操作に応じて入力する設定入力手段として、図３及び図４に示すようなディップスイッチ４３を適用するようにした場合について述べたが、要は、モデム装置（変復調装置）３内の制御処理を追加させたり、新たに制御処理のための手段を設けたりする必要がなくて済むものであれば、この他種々の構成からなる設定入力手段に広く適用することができる。
【００５５】
さらに上述の実施の形態においては、公衆回線網（通信回線網）に対応する複数種類の設定内容として、当該公衆回線網（通信回線網）に応じた現在使用する国名や、当該公衆回線網に合わせた回線の種類（例えばトーン・パルス方式におけるプッシュ回線又はダイヤル回線のいずれか）を適用するようにした場合について述べたが、本発明はこれに限らず、要は、ディジタルビデオカメラ（データ出力装置）２側においてＧＵＩ表示等の画面表示をさせる必要がなくて済むものであれば、この他種々の設定内容を設けるようにしても良い。
【００５６】
さらに上述の実施の形態においては、ディジタルビデオカメラ（データ出力装置）２に設けられ、モデム装置（変復調装置）３から与えられるディップスイッチ（設定入力手段）４３の設定内容に基づいて、当該設定内容に応じたＡＴコマンド（コマンド）をモデム装置（変復調装置）３に送出する制御手段として、ＣＰＵ１７を適用するようにした場合について述べたが、本発明はこれに限らず、ＡＴコマンドのみならずモデム装置（変復調装置）３に対する制御情報をコマンドとして送出することができれば、この他種々の構成からなる制御手段に広く適用するようにしても良い。
【００５７】
さらに上述の実施の形態においては、ディジタルビデオカメラ（データ出力装置）２及びモデム装置（変復調装置）３間を相互接続するシリアル伝送方式によるＵＳＢケーブル（有線ケーブル）４と、モデム装置（変復調装置）３に設けられ、ディジタルビデオカメラ（データ出力装置）２からシリアル伝送されるデータをパラレル伝送方式に変換するＵＳＢパラレルＩ／Ｆコンバータ（シリアルパラレル変換手段）４０とを設け、ディップスイッチ（設定入力手段）４３をＵＳＢパラレルＩ／Ｆコンバータ（シリアルパラレル変換手段）４０に接続するようにした場合について述べたが、本発明はこれに限らず、ディジタルビデオカメラ（データ出力装置）２及びモデム装置（変復調装置）３間をシリアル伝送方式により相互接続することができれば、ＵＳＢ以外の他のシリアルインターフェイス仕様のものを適用するようにしても良い。
【００５８】
さらにこの場合、設定入力手段を８個のスイッチ素子を有するディップスイッチ４３から構成し、ディジタルビデオカメラ（データ出力装置）２に設けられ、各スイッチ素子によるスイッチング状態の組み合わせ結果と公衆回線網（通信回線網）に対応する各設定内容との対応テーブルをＲＯＭ（記憶手段）２２に記憶しておき、ＣＰＵ（制御手段）１７は、モデム装置（変復調装置）３からスイッチング状態の組み合わせ結果が与えられると、ＲＯＭ（記憶手段）３から読み出した対応テーブルに基づいて、当該組み合わせ結果に対応する設定内容を認識するようにしたが、本発明はこれに限らず、ディップスイッチ４３のスイッチ素子の数は、ＵＳＢパラレルＩ／Ｆコンバータ（シリアルパラレル変換手段）４０に接続可能な範囲で自由に設定することができ、また、ディジタルビデオカメラ（データ出力装置）２において、ＲＯＭ２２以外にも不揮発性メモリ２３やＲＡＭ１８など他の記憶手段に対応テーブルを記憶させるようにしても良い。
【００５９】
【発明の効果】
上述のように本発明によれば、所定のデータを出力するデータ出力装置と、当該データ出力装置及び通信回線網間に接続され、一方又は双方から得られるデータに対して所定の変復調処理を行う変復調装置とからなる通信システムにおいて、変復調装置に設けられ、通信回線網に対応する複数種類の設定内容のうち所望の設定内容を外部操作に応じて入力する設定入力手段と、データ出力装置に設けられ、変復調装置から与えられる設定入力手段の設定内容に基づいて、当該設定内容に応じたコマンドを変復調装置に送出する制御手段とを設けるようにしたことにより、データ出力装置側において通信回線網に対応する複数種類の設定内容を画面表示をさせる必要がなくて済み、かくしてシステム全体としての構成の簡易化及び処理効率の向上を図ることができる通信システムを実現できる。
【００６０】
また本発明によれば、通信システムにおいて、データ出力装置及び変復調装置間を相互接続するシリアル伝送方式による有線ケーブルと、変復調装置に設けられ、データ出力装置からシリアル伝送されるデータをパラレル伝送方式に変換するシリアルパラレル変換手段とを設け、設定入力手段をシリアルパラレル変換手段に接続するようにしたことにより、変復調装置内の制御処理を追加させたり、新たに制御処理のための手段を設けたりする必要がなくて済み、かくしてシステム全体としての構成の簡易化及び処理効率の向上を図ることができる通信システムを実現できる。
【図面の簡単な説明】
【図１】本実施の形態によるビデオカメラシステムの構成を示すブロック図である。
【図２】本実施の形態によるディジタルビデオカメラの構成を示すブロック図である。
【図３】本実施の形態によるモデム装置の構成を示すブロック図である。
【図４】図３に示すディップスイッチの接続状態の説明に供するブロック図である。
【符号の説明】
１……ビデオカメラシステム、２……ディジタルビデオカメラ、３……モデム装置、４……ＵＳＢケーブル、５……通信ケーブル、１７……ＣＰＵ、２２……ＲＯＭ、２８……ＵＳＢインターフェイス、４０……ＵＳＢパラレルＩ／Ｆコンバータ、４１……ＳＣＭ部、４２……ＬＳＤ部、４３……ディップスイッチ。
【図１】
2004253903.tif 000003
【図２】
2004253903.tif 000004
【図３】
2004253903.tif 000005
【図４】
2004253903.tif 000006